(57)【特許請求の範囲】
【請求項１】
受信スロットが所定間隔で繰り返されて間欠的にデータを受信する受信部を有し、
前記受信スロットで送られてくる受信データに、該受信データの誤りを検出可能な誤り検出信号と、前記受信データの誤りを訂正可能な誤り訂正信号とを含むＴＤＭＡ方式により通信をする無線通信機において、
前記誤り検出信号を受信し、該誤り検出信号によって前記受信データの誤りが検出されなければ、該誤り検出信号に続いて送られてくる前記誤り訂正信号の少なくとも一部の受信をしないようにするとともに、前記受信部の受信動作を停止する制御をする制御手段を有することを特徴とする無線通信機。
【請求項２】
送信スロットと受信スロットとが所定間隔で繰り返されてデータを送受信する送信部及び受信部を有し、
前記受信スロットで送られてくる受信データに、前記送信スロットでの送信を制御するための送信制御信号を含むＴＤＭＡ方式により通信をする無線通信機において、
該無線通信機が、前記受信スロットの前後の送信スロットで前記送信部が送信をしていないときには、前記受信スロットに含まれる前記送信制御信号の少なくとも一部の受信をしないようにするとともに、前記送信部及び受信部の受信動作を停止する制御をする制御手段を有することを特徴とする無線通信機。
【請求項３】
送信スロットと受信スロットとが所定間隔で繰り返されてデータを送受信する送信部及び受信部を有し、
前記受信スロットで送られてくる受信データに、該受信データの誤りを検出可能な誤り検出信号と、前記受信データの誤りを訂正可能な誤り訂正信号と、前記送信スロットでの送信を制御するための送信制御信号とを含み、かつ、前記送信制御信号が当該受信スロットの最後に位置し、前記誤り訂正信号が前記送信制御信号の前に位置して送信されるＴＤＭＡ方式により通信をする無線通信機において、
前記受信スロットの前後の送信スロットで送信をしていないときには、前記送信制御信号の受信をせず、さらに、前記送信制御信号の受信をしないときには、前記誤り検出信号を受信し、該誤り検出信号によって受信データの誤りが検出されなければ、該誤り検出信号に続いて送られてくる前記訂正可能信号の少なくとも一部の受信をしないように制御する制御手段を有することを特徴とする無線通信機。
【発明の詳細な説明】
【０００１】
【発明が属する技術分野】
本発明は、時分割多重アクセス（ＴＤＭＡ）方式により通信をする無線通信機に関し、特に電池で駆動される携帯型無線通信機の受信時の消費電流の低減に関する。
【０００２】
【従来の技術】
携帯無線機等の移動無線通信機は、無線基地局との間に電波による通信回線を設定し、無線により音声、データ等を送受して通信を行うものであり、周波数利用効率の観点からＴＤＭＡ方式の携帯電話機システムが広く用いられている。このＴＤＭＡ方式の無線通信機は、自機に割り当てられた受信スロットを受信し、自機に割り当てられた送信スロットにて送信をして、間欠的に送受信を繰り返すように動作している。
【０００３】
また、携帯電話機等の携帯型無線通信機は電池で駆動されているので、長時間の動作を確保するために、消費電力を低減する必要がある。ＴＤＭＡ方式においては、送信スロットと受信スロットとにおいて間欠的に送受信動作をするので、受信部は自機に割り当てられた受信スロットの間だけ間欠的に動作していた。
【０００４】
この送受信スロットと受信部の動作タイミングの一例を図１０に示す。図１０は日本で採用されているデジタル方式の自動車・携帯電話方式であるＰＤＣ（Ｐｅｒｓｏｎａｌ  Ｄｉｇｉｔａｌ  Ｃｅｌｌｕｌａｒ）システムにおける移動機の送受信タイミングを示す図である。例えば、基地局から送信された下りの信号は、移動機にて受信スロット（Ｒ）で受信される。また、移動機から送信スロット（Ｔ）で基地局に対して上りの信号を送信する。また、図中でＩは移動機が送受信動作をしていないアイドル時間である。ＰＤＣシステムでは、以上説明したようなタイミングにより、移動機は送信、受信、アイドルの３状態を所定の時間間隔で繰り返して送受信動作をしている。
【０００５】
このとき、移動機は自機に割り当てられた受信スロットで基地局からの下りの信号を受信するように、受信部を動作させる。すなわち、受信スロット（Ｒ）にて受信部の電源を投入して、受信部を動作させ、送信スロット（Ｔ）及び待機時（Ｉ）にて受信部の電源を遮断して、受信部の動作を停止している。
【０００６】
【発明が解決しようとする課題】
従来のＴＤＭＡ方式の無線通信機では、自機に割り当てられた受信スロットで受信部を動作させ、その受信スロットに含まれるすべてのデータを受信していた。特に、前述したＰＤＣシステムでは、基地局から送信される制御信号に誤りがないかを検出することができる２種類の信号（ＣＲＣ符号、ＢＣＨ符号）を含んでいるので、無線回線の状態が良好で、受信信号が強く、電界強度が大きい場合であって、受信データに誤りが生じないような環境においても、データの誤りを検出可能な信号（ＣＲＣ符号、ＢＣＨ符号）の両方を受信していた。
【０００７】
また、基地局からの下りの信号には、複数の移動機が上りの信号を同じ送信スロットで同時に送出することがないように、移動機からの送信（ランダムアクセス）を制御する衝突制御信号が含まれている。この情報は直前の送信スロットで送信をしていない移動機には必要がないものである。
【０００８】
このように、従来のＴＤＭＡ方式の無線通信機では、受信スロットに含まれるデータを全て受信しており、受信スロット中に現在の自機の状態により不要なデータが含まれているときにも、受信部が動作して、不要なデータであっても受信をしていたので、無駄な電力を消費することとなり、無線通信機の使用時間が短くなる問題があった。
【０００９】
本発明は、ＴＤＭＡ方式の無線通信機が、現在の自機の状態を判断し、不要なデータを受信しないことにより、受信部（及び発振部）の動作時間を短縮し、消費電力を低減して、長時間の使用が可能になる無線通信機を提供することを目的とする。
【００１０】
【課題を解決するための手段】
第１の発明は、受信スロットが所定間隔で繰り返されて間欠的にデータを受信する受信部を有し、前記受信スロットで送られてくる受信データに、該受信データの誤りを検出可能な誤り検出信号と、前記受信データの誤りを訂正可能な誤り訂正信号とを含むＴＤＭＡ方式により通信をする無線通信機において、前記誤り検出信号を受信し、該誤り検出信号（例えば、ＣＲＣ符号）によって前記受信データの誤りが検出されなければ、該誤り検出信号に続いて送られてくる前記誤り訂正信号（例えば、ＢＣＨ符号）の少なくとも一部の受信をしないようにするとともに、前記受信部の受信動作を停止する制御をする制御手段を有することを特徴とする無線通信機。
【００１４】
第２の発明は、送信スロットと受信スロットとが所定間隔で繰り返されてデータを送受信する送信部及び受信部を有し、前記受信スロットで送られてくる受信データに、前記送信スロットでの送信を制御するための送信制御信号を含むＴＤＭＡ方式により通信をする無線通信機において、該無線通信機が、前記受信スロットの前後の送信スロットで前記送信部が送信をしていないときには、前記受信スロットに含まれる前記送信制御信号の少なくとも一部の受信をしないようにするとともに、前記送信部及び受信部の受信動作を停止する制御をする制御手段を有することを特徴とする。
【００１５】
第３の発明は、送信スロットと受信スロットとが所定間隔で繰り返されてデータを送受信する送信部及び受信部を有し、前記受信スロットで送られてくる受信データに、該受信データの誤りを検出可能な誤り検出信号と、前記受信データの誤りを訂正可能な誤り訂正信号と、前記送信スロットでの送信を制御するための送信制御信号とを含み、かつ、前記送信制御信号が当該受信スロットの最後に位置し、前記誤り訂正信号が前記送信制御信号の前に位置して送信されるＴＤＭＡ方式により通信をする無線通信機において、前記受信スロットの前後の送信スロットで送信をしていないときには、前記送信制御信号の受信をせず、さらに、前記送信制御信号の受信をしないときには、前記誤り検出信号を受信し、該誤り検出信号によって受信データの誤りが検出されなければ、該誤り検出信号に続いて送られてくる前記訂正可能信号の少なくとも一部の受信をしないように制御する制御手段を有する。なお、前記送信制御信号を受信するときには、前記第２の誤り検出が可能な信号を受信するように制御するとよい。
【００２２】
特に、第１、第２及び第３の発明では、第１の誤り検出が可能な信号によって送信データの誤りが検出されなければ、第２の誤り検出が可能な信号を受信する必要がないと判断できるので、第２の誤り検出が可能な信号の全部又は一部を受信しないように構成した。よって、受信電界強度が強く、受信データに誤りが発生しない伝搬状態において不要とされる第２の誤り検出が可能な信号を受信することなく、受信動作を停止することから、受信部の消費電流を削減することができる。また、第３の発明のように、第１の誤り検出が可能な信号が誤り検出信号（ＣＲＣ符号）であり、第２の誤り検出が可能な信号が、前記誤り検出信号よりデータ長の長い、誤り訂正信号（ＢＣＨ符号）である場合には、受信データの量が少なくなり、消費電力の低減効果が大きい。
【００２３】
第４及び第５の発明では、移動機が当該受信スロットの直前の送信スロットで送信をしていないときは、送信制御信号（衝突制御信号）を受信する必要がないと判断できるので、前の送信スロットに基づく情報が含まれている送信制御信号の全部又は一部の受信をせずに、受信動作を停止することから、受信部の動作時間を短くすることにより、消費電流を削減することができる。
【００２４】
第６の発明では、送信制御信号（衝突制御信号）を受信しない場合に、第２の誤り検出が可能な信号を受信するか否かを判定するように構成したので、ＰＤＣシステムのように、送信制御信号が受信スロットの最後に位置し、第２の誤り検出が可能な信号（ＢＣＨ符号）が前記送信制御信号の前に位置する場合に、受信スロットの受信を途中で中断することにより、送信制御信号と第２の誤り検出が可能な信号とを受信することなく受信動作を停止することができ、簡易な制御で、効率的に受信部の消費電流を削減することができる。
【００２５】
第７の発明では、受信部に供給される電源を遮断することにより、前記受信部の動作を停止して、前記信号の受信をしないようにしたので、簡単な制御により受信動作を停止し、他の受信動作停止手段よりも確実に消費電流を低減することができる。
【００２６】
第８の発明では、移動機にとって不要な信号の受信を停止するときに、受信部の他に発振部の動作も停止するように構成したので、受信部の動作のみを停止する場合と比較して、さらに消費電流を低減することができる。この発振部の動作の停止には、発振部に供給される電源を遮断するとよい。
【００２７】
第９の発明では、次の送信スロットで送信をする予定がある場合には、発振部（特に、ＰＬＬシンセサイザ）の動作を停止しないように構成したので、送信信号の生成に関わる発振部のＰＬＬシンセサイザの電源が投入され、出力周波数が安定するまでの立上り時間が遅くても、送信信号に影響を与えることなく、発振部の動作を停止することができ、受信時の消費電力を低減することができる。
【００２８】
第１０の発明では、受信データのビット数の計数結果により、前記データの受信動作を停止するように構成したので、簡単に特定のビット数に位置する受信データを受信しないような制御をすることができる。
【００２９】
【発明の実施の形態】
次に、本発明の実施の形態について図面を参照して説明する。
【００３０】
図１は、本実施の形態の携帯電話機の全体の構成を示すブロック図である。
【００３１】
アンテナ１は送信部２及び受信部３に接続されており、無線基地局からの電波（下りの信号）を受信し、無線基地局に対し電波（上りの信号）を送信する。送信部２はアンテナ１から送信する高周波信号を生成する。受信部３はアンテナ１で受信した高周波信号を増幅、周波数変換等をして、ベースバンド信号としてベースバンド処理部５に出力する。発振部４は、ＰＬＬシンセサイザ、水晶発振器等で構成されており、制御部からの信号により出力周波数が制御され、送受信周波数にあわせた局部発振周波数信号（ローカル信号）を生成する。このローカル信号は、送信部２、受信部３に供給される。送信部２は、このローカル信号を逓倍して基地局との間で定まった所定の周波数の高周波信号を生成する。また、受信部３は、このローカル信号と受信した高周波の信号をミキサー部で混合することにより、ベースバンド周波数の信号に変換する。このベースバンド信号は、音声符号化・復号化部６にて音声信号に復号化されて、受話部８に送られる。また、送話部７から入力された音声信号は音声符号化・復号化部６にて符号化され、ベースバンド処理部５に送られる。
【００３２】
制御部９は、送信部２、受信部３、発振部４等、携帯電話機の各部を制御する。送信部２に対して送信周波数、送信する電波の出力を制御し、受信部３に対して受信周波数を制御する。特に、受信部３と発振部４に対しては、受信部３と発振部４を間欠的に動作させ、間欠的に受信をするために受信スロットのタイミングに合わせて受信部３、発振部４の電源のオン／オフを制御する。また、表示部（図示省略）に対しては、文字情報、携帯電話機の動作状態を表示する表示データを送り、入力部（図示省略）からの、文字、数字の入力、携帯電話機への動作の指示を受け付ける。
【００３３】
図２は、制御信号のフォーマットを示す図である。
【００３４】
制御信号は受信スロットにおいて、基地局から移動機に対して送信され、報知チャネル（ＢＣＣＨ）や、共通制御チャネル（ＣＣＣＨ）としての一斉呼出チャネル（ＰＣＨ）や個別セル用チャネル（ＳＣＣＨ）などがある。この１スロットの制御信号は２８０ビットで構成され、移動機と基地局との距離によりバーストが衝突するのを防止する４ビット分のガードタイムの後、キャリア同期及びクロック同期用のプリアンブル（２ビット）、制御信号としての情報データ（ＣＡＣ）の前半１１２ビット、フレーム同期のための同期ワード（２０ビット）、移動機と基地局との間で送受されるカラーコード（８ビット）の後、情報データ（ＣＡＣ）の後半１１２ビット、複数の移動機から上りの信号が同じ送信スロットで同時に送出されることがないように、移動機からの送信（ランダムアクセス）を制御する衝突制御信号（２２ビット）が送信される。また、情報データ（ＣＡＣ）の最後には、後述する誤り訂正信号である６４ビットのＢＣＨ符号が含まれている。
【００３５】
この制御信号の最後に含まれる衝突制御信号は、図３に示す構成となっている。最初の３ビットは、上りのチャネル（例えば、個別セル用チャネルＳＣＣＨ、ユーザパケットチャネルＵＰＣＨ）が空いているか塞がっているかを基地局側で検知した結果を示す空塞ビット（Ｉ／Ｂ）であり、上りのチャネルが空いていれば送信許可信号（Ｉ）が、上りのチャネルが塞がっていれば送信禁止信号（Ｂ）が送信される。この信号がＩであれば移動機は次の送信スロットで送信をすることができ、Ｂであれば次の送信スロットで送信をすることができない。
【００３６】
また、次の３ビットは、基地局が移動機からの上りの信号を受信したか否かを示すものであり、基地局が上りの信号を受信したときは受信（Ｒ）を、基地局が上りの信号を受信していなければ非受信（Ｎ）が送信される。さらに、最後の１６ビットは、基地局が受信した上りのチャネルに含まれる信号のＣＲＣ符号が含まれて返送されてくる部分エコーフィールド（ＰＥ）であり、移動機はこの部分エコーフィールドを受信することにより、自機が送信したデータを基地局が正しく受信したかが分かるようになっている。
【００３７】
図４は、本発明の第１の実施の形態の受信部３の動作を示すタイミング図である。
【００３８】
この第１の実施の形態では、移動機からの上りの信号の送信が不要な状態、すなわち、移動機が前の送信スロットで上りの信号を送信しておらずかつ次の送信スロットにて送信する予定がないときには、衝突制御信号を受信せず、受信スロットの途中で受信部３への電源の供給を遮断して、受信動作を停止する。ここで、移動機からの上りの信号の送信が不要な状態とは、移動機が待受状態であって、位置を移動しないので位置登録、ハンドオーバの必要がない状態であり、また、基地局との間の伝搬状態も変化しない（上りの信号、下りの信号ともに送信電力を変化する必要がない）ときである。
【００３９】
前述したように衝突制御信号は、移動機が送信した上りの信号を基地局が受信した結果に関する情報が含まれている。この情報は移動機が送信スロットで上りの信号を送信していないときには不要である。また、衝突制御信号には次の送信スロットでの送信の許可／不許可に関する情報が含まれている、この情報は移動機が次の送信スロットで上りの信号を送信しないときには不要である。よって、送信が不要な状態にある移動機は、衝突制御信号を受信する必要がない。
【００４０】
ここで、ＰＤＣシステムでは、衝突制御信号は受信スロットのデータの最後に含まれているので、移動機が送信をしないときには受信スロットの受信を途中で打ち切り、衝突制御信号の前で制御信号の受信を終了させる。すなわち、移動機が直前の送信スロット（Ｔ）で、上りの信号を送信しておらず、次の送信スロットで上りの信号を送信する予定がないときには、後半の情報データ（ＣＡＣ）を受信した後、衝突制御信号（Ｅ）を受信することなく受信部３の電源を遮断して、受信動作を停止する。
【００４１】
具体的にはベースバンド処理部５は、受信スロットにて受信したビット数を計数しており、受信スロットの最初からの受信ビット数が２５８ビットに達したら、受信部３の動作を停止するように、制御部９を介して、受信部３、発振部４に電源制御信号を送出する。この電源制御信号を受けた受信部３は電源を遮断して動作を休止する。この後ベースバンド処理部５は既に同期してあるフレームの基準（例えば、受信スロットの開始時）からの経過時間により、次の受信スロットの開始にあわせて受信部３の動作を再開するように、制御部９を介して、受信部３に電源制御信号を送出して、受信部３に電源を供給して、受信部３の動作を開始する。
【００４２】
このとき、ベースバンド処理部５は、受信ビット数の計数でなく、受信スロットの最初からの経過時間を計時して、２５８ビットに相当する時間（約６．２ミリ秒）で受信部３の動作を停止するように構成することもできる。
【００４３】
以上、第１の実施の形態において、受信部３の電源を遮断することについて説明をしたが、受信部３の電源を遮断する他に、受信部３へ入力されるローカル信号を生成する発振部４へ供給される電源を遮断して、発振部４の動作も停止するように構成することもできる。しかし、発振部４からのローカル信号は送信部２において送信信号を生成するのにも使用されているので、むやみに発振部４のシンセサイザの動作を停止すると、所望の送信スロットで送信ができないことになってしまう。つまり、発振部４の電源投入から出力周波数が安定するまでの立上り時間を考慮すると、この立ち上がり時間より短い時間内の送信スロットで送信をする予定があるときには、発振部４を停止しない方がよい。よって、所定時間内の（例えば、次の又は次々の）送信スロットでの送信予定がある場合には、受信部３の動作のみ停止し、発振部４は次の送信スロットでの送信のために動作を継続するように構成するとよい。一方、所定時間内で（例えば、次の又は次々の送信スロットで）送信予定がない場合には、受信部３の動作の他に、発振部４の動作も停止するように制御をする。
【００４４】
このように発振部４への電源も遮断することにより、受信部３のみの電源を遮断する場合と比較して、さらに消費電力を低減することができる。
【００４５】
図５は、本発明の第１の実施の形態における制御チャネルの受信動作を示すフローチャートである。
【００４６】
制御チャネル受信処理では、新たな受信スロットの受信を開始すると（ステップＳ１０１）、情報データ（ＣＡＣ）の最後まで受信をする（ステップＳ１０２）。その後、直前の送信スロットで基地局への上りの信号の送信の有無を調べる（ステップＳ１０３）。直前の送信スロットで基地局への上りの信号を送信していなければ（ステップＳ１０３で無）、後の送信スロットで基地局への上りの信号を送信する予定の有無を調べる（ステップＳ１０４）。次の送信スロットで基地局への上りの信号を送信する予定がなければ（ステップＳ１０４で無）、この受信スロットの受信を終了し、この制御チャネル受信処理の最初に戻り、所定のタイミングで次の受信スロットの受信を開始する。
【００４７】
一方、直前の送信スロットで基地局への上りの信号を送信している（ステップＳ１０３で有）、又は、次の送信スロットで基地局への上りの信号を送信する予定が有れば（ステップＳ１０４で有）、衝突制御信号を受信して、すなわちこの受信スロットの最後のデータまで受信して（ステップＳ１０５）、この制御チャネル受信処理の最初に戻り、所定のタイミングで次の受信スロットの受信を開始する。
【００４８】
このように第１の実施の形態では、移動機が送信を必要としないときに、衝突制御信号を受信する前に受信部３を停止するように構成したので、待受時等で、移動機が送信を必要としないときにも無駄なデータを受信する必要がなく、受信部３の動作時間を短縮することにより、消費電力を減少させて、移動機の待受時の動作時間を長くすることができる。
【００４９】
また、ＰＤＣシステムでは、衝突制御信号が受信スロットの最後に含まれているので、受信スロットの途中で受信動作を停止するだけでよく、受信スロットの途中で受信動作の停止／開始を繰り返すような複雑な制御をする必要がなく、簡単な制御で消費電力を低減することができる。
【００５０】
図６は、本発明の第２の実施の形態の受信部３の動作を示すタイミング図である。
【００５１】
この第２の実施の形態では、第１の実施の形態にて説明した衝突制御信号を受信しないことに加え、誤り訂正信号であるＢＣＨ符号を受信せず、第１の実施の形態より早く受信スロットの受信動作を停止する。
【００５２】
図７は、制御信号の情報データの構成を示す図である。
【００５３】
図７には２２４ビットで構成される受信データの情報データ（制御データ）を１４ビット×１６行で示してある。この制御データは、図中に矢線（点線）で示すように、１行目の第１ビット、２行目の第１ビット……１５行目の第１ビット、１６行目の第１ビット、１行目の第２ビット……１６行目の第２ビットの順に送信され、１行目の第７ビット、……１６行目の第７ビットが送信されて、前半の１１２ビットの送信が終了する。その後、１行目の第８ビットから始まり、１６行目の第１４ビットが送信されて後半の１１２ビットが送信される。
【００５４】
この制御データのうち、１５行目の第５ビット〜第１０ビット及び１６行目の第１ビット〜第１０ビットの１６ビットはＣＲＣ符号に割り当てられており、この符号により受信した制御データの誤りを検出することができる。さらに、制御データの、第１１ビット〜第１４ビット（１行目〜１６行目）はＢＣＨ符号に割り当てられており、各行毎にデータの正誤の判定と、誤りの訂正ができるようになっている。
【００５５】
前述した送信順序によれば、ＢＣＨ符号は後半の制御データの最後の６４ビットにて送信されている。また、図２を参照すると、ＢＣＨ符号は、衝突制御信号の前に位置し、受信スロットの最初から１９５〜２５８ビットに位置する。
【００５６】
よって、図６に示すように、第２の実施の形態では、ＣＲＣ符号を受信した結果、受信データに誤りがなければ、ＢＣＨ符号と衝突制御信号とを受信することなく、受信スロットの途中で受信部３の動作を停止して受信動作を終了する。
【００５７】
具体的には、移動機のベースバンド処理部５は、受信した情報データに含まれるＣＲＣ符号を受信した後に、受信した制御信号とＣＲＣ符号の内容を照合して、両者の内容が一致するかを確認する。ＣＲＣ符号により制御信号の誤りが検出されたときは、１行（第１ビット〜第１０ビット）の中に誤りが一つであれば、ＢＣＨ符号により制御信号の誤りを訂正することができる。しかし、移動機と基地局との距離が近い等、受信電界が強く、その変動が少ないときには、受信した制御データに誤りが生じないので、ＣＲＣ符号との照合により受信した情報データに誤りが無いことが確認できたときは、誤り訂正のためのＢＣＨ符号を使用することはないことから、ＢＣＨ符号を受信する必要はない。そこで、ベースバンド処理部５は受信動作を停止するように制御部９から受信部３に電源制御信号を送出する。この電源制御信号を受けた受信部３は電源を遮断して、受信動作を休止する。この後ベースバンド処理部５は既に同期してあるフレームの基準時（例えば、受信スロットの開始時）からの経過時間を計測し、次の受信スロットの開始にあわせて受信部３の動作を再開するように、制御部９から受信部３に電源制御信号を送出して、受信部３に電源を供給して、受信部３の動作を開始する。
【００５８】
また、第１の実施の形態で前述したように、ローカル信号を生成する発振部４の動作も停止することもできる。また、この発振部４の電源の遮断は、以後の送信スロットでの送信予定により、動作／停止を切り換えるような制御をすることもできる。
【００５９】
図８は、本発明の第２の実施の形態における制御チャネルの受信動作を示すフローチャートである。
【００６０】
制御チャネル受信処理では、新たな受信スロットの受信を開始すると（ステップＳ１１１）、誤り検出信号（ＣＲＣ符号）までを受信する（ステップＳ１１２）。その後、直前の送信スロットで基地局への上りの信号の送信の有無を調べる（ステップＳ１１３）。直前の送信スロットで基地局への上りの信号を送信していなければ（ステップＳ１１３で無）、ベースバンド処理部５は受信した制御信号とＣＲＣ符号とを照合し、制御信号の誤りを検出する（ステップＳ１１４）。この誤り検出（ＣＲＣチェック）にて誤りが検出されれば（ステップＳ１１４でＮＧ）、さらに続けて誤り訂正信号（ＢＣＨ符号）を受信して、ＢＣＨ符号により制御信号の誤りを訂正する（ステップＳ１１５）。その後、この制御チャネル受信処理の最初に戻り、次の受信スロットの受信に備え、所定のタイミングで次の受信スロットの受信を開始する。
【００６１】
一方、ベースバンド処理部５が、制御信号とＣＲＣ符号とを照合した結果、制御データに誤りがないと判定すると（ステップＳ１１４でＯＫ）、誤り訂正信号（ＢＣＨ符号）を受信することなく、この制御チャネル受信処理の最初に戻り、所定のタイミングで次の受信スロットの受信を開始する。
【００６２】
さらに、ステップＳ１１３にて、この受信スロットの直前の送信スロットで基地局への上りの信号を送信していたならば又は次の送信スロットにて送信予定があるならば（ステップＳ１１３で有）、誤り検出信号（ステップＳ１１２）に続いて、誤り訂正信号を受信し（ステップＳ１１６）、衝突制御信号を受信する（ステップＳ１１７）。この間、必要に応じて、制御データの受信誤りを修正する。その後、この制御チャネル受信処理の最初に戻り、所定のタイミングで次の受信スロットの受信を開始する。
【００６３】
第１及び第２の実施の形態で、受信部３の動作を停止する方法として、受信部３の電源を遮断する方法にて説明したが、消費電流の低減効果は劣るものとなるが、受信部３へのローカル信号の供給を停止する方法や、受信部３の入力を遮断することにより、受信部３を無入力状態として、実質的に受信部３の動作を停止して、消費電力を低減することもできる。
【００６４】
このように第２の実施の形態では、誤り検出信号（ＣＲＣ符号）まで受信して、誤り検出信号を用いた誤り検出の結果により、誤り訂正信号（ＢＣＨ符号）を受信するかを判定して、誤りが検出されないときは受信部３を停止して、誤り訂正信号を受信しないように構成した。また、前の送信スロットで送信をしていないときには、衝突制御信号を受信しないように構成した。よって、待受時等で、移動機が受信電界が強く、その変動がないような安定した受信状態のときに無駄なデータ（ＢＣＨ符号）を受信する必要がない。また、送信が不要な状態で無駄なデータ（衝突制御信号）を受信する必要がないので、受信部３の動作時間を短縮することにより、消費電力を削減することができ、電池で動作する無線通信機の動作時間を長くすることができる。
【００６５】
また、ＢＣＨ符号は、制御信号の最後に位置する衝突制御信号の前に位置するので、前述した衝突制御信号を受信しないときには、ＣＲＣ符号を受信した後に、ＢＣＨ符号を最後まで受信することなく、受信スロットのデータの受信を終了することにより、受信スロットの途中で受信動作の停止／開始を繰り返すような複雑な制御をする必要がなく、簡単な制御で消費電力を低減することができる。
【００６６】
図９は、本発明の第３の実施の形態における制御チャネルの受信動作を示すフローチャートである。
【００６７】
この実施の形態は、前述した第２の実施の形態と同様に、移動機の状態により誤り訂正信号（ＢＣＨ符号）と衝突制御信号（Ｅ）とを受信しないものであり、受信部３は図６に示すタイミングで動作をする。本実施の形態では、誤り検出信号であるＣＲＣ符号による誤りチェック中は受信動作を継続し、ＣＲＣチェックの結果により受信部３の動作を止め、さらに、後の送信スロットでの送信予定により発振部４も停止することが特徴となっている。すなわち、移動機がＣＲＣ符号の受信結果により受信した制御信号の内容を照合し、この判定が終了して内容が一致した段階で、ＢＣＨ符号の受信を停止するために、受信部３の電源を遮断する。
【００６８】
この制御チャネル受信処理では、発振部４のＰＬＬシンセサイザに電源を供給して、ＰＬＬシンセサイザを動作させ、発振部４からの局部発振周波数の出力を開始（再開）する（ステップＳ１２１）。その後、受信部３に電源を供給して、受信部３を動作させ（ステップＳ１２２）、新たな制御チャネルの受信を開始して（ステップＳ１２３）、誤り訂正信号（ＣＲＣ符号）までの制御データを受信する（ステップＳ１２４）。その後、直前／直後の送信スロットで基地局への上りの信号の送信の有無を調べる（ステップＳ１２５）。直前の送信スロットで基地局への上りの信号を送信しておらずかつ次の送信スロットにて送信予定がないならば（ステップＳ１２５で無）、ベースバンド処理部５は受信した制御データとＣＲＣ符号とを照合し、制御信号に誤りがないかを判定する（ステップＳ１２６）。この第３の実施の形態では、ＣＲＣ符号による誤り検出の判定（ＣＲＣチェック）中も、ＣＲＣ符号に続けて送られてくるＢＣＨ符号を継続して受信する。このＣＲＣチェックにて誤りが検出されれば（ステップＳ１２６でＮＧ）、続けて誤り訂正信号（ＢＣＨ符号）を受信して、誤り訂正を行い、制御信号の受信誤りを修正して（ステップＳ１２７）、受信スロットの受信を終了する。
【００６９】
一方、ベースバンド処理部５が、制御信号とＣＲＣ符号とを照合した結果、制御信号に誤りがないと判定すると（ステップＳ１２６でＯＫ）、誤り訂正信号の受信を中断して、受信スロットの受信を終了する。
【００７０】
また、直前の送信スロットで基地局への上りの信号を送信していれば（ステップＳ１２５で有）、誤り検出信号を受信し（ステップＳ１３１）、続けて衝突制御信号を受信する（ステップＳ１３２）。この間、必要に応じて、制御データの受信誤りを修正して、受信スロットの受信を終了する。
【００７１】
これらの移動機の状態により定まる信号（符号）まで、受信スロットを受信すると、ベースバンド処理部５は受信部３に対し、受信部３の電源を遮断するように電源制御信号を送出して、受信部３の電源を遮断して、受信動作を停止する（ステップＳ１２８）。
【００７２】
さらに、制御部９は、前述した発振部４の立上り時間により定まる所定時間内の送信スロットでの送信予定の有無を判定し（ステップＳ１２９）、送信予定が無ければ発振部４の電源も遮断して、発振部４の動作を停止する。その後、この制御チャネル受信処理の最初に戻り、次の受信スロットの受信に備え、所定のタイミングで発振部４、受信部３の電源を投入して、受信動作を再開し（ステップＳ１２１、Ｓ１２２）、次の受信スロットの受信を開始する（ステップＳ１２３）。
【００７３】
一方、所定時間内の送信スロットでの送信予定が有れば（ステップＳ１２９で有）、発振部４の電源を遮断することなく、発振部４からの発信出力を維持したまま、この制御チャネル受信処理の最初に戻り、次の受信スロットの受信に備え、所定のタイミングで発振部４、受信部３の電源を投入して、受信動作を再開し（ステップＳ１２１、Ｓ１２２）、次の受信スロットの受信を開始する（ステップＳ１２３）。
【００７４】
このように、第３の実施の形態においては、誤り検出チェック結果が良好であることが判定された後に受信部３の電源を遮断する。すなわち、誤り検出信号を受信した後も継続して受信部３を動作させ、誤り検出信号に続いて送信されてくる誤り訂正信号を受信して、この誤り訂正信号が不要と判断できた時点で受信部３の動作を停止する。よって、誤り検出の判定に時間を要して、受信データに誤りがあることが判定されたときには、既に誤り訂正信号が始まっている場合にも、誤り訂正信号を欠落させることなくその全てを受信することができる。そして、自機の状態によって、無駄なデータを受信する必要がないので、受信部３の動作時間を短縮することにより、消費電力を削減することができ、電池で動作する無線通信機の動作時間を長くすることができる。
【００７５】
また、受信部３の他に発振部４の電源も遮断し、動作を停止するようにしたので、さらに消費電流を低減することができる。
【図面の簡単な説明】
【図１】  本発明の実施の形態の携帯電話機のブロック図である。
【図２】  制御信号のフォーマットを示す図である。
【図３】  衝突制御信号のフォーマットを示す図である。
【図４】  本発明の第１の実施の形態の受信部の動作を示すタイミング図である。
【図５】  本発明の第１の実施の形態の動作を示すフローチャートである。
【図６】  本発明の第２の実施の形態の受信部の動作を示すタイミング図である。
【図７】  制御信号のデータの構成を示す図である。
【図８】  本発明の第２の実施の形態の動作を示すフローチャートである。
【図９】  本発明の第３の実施の形態の動作を示すフローチャートである。
【図１０】  従来の受信部の動作を示すタイミング図である。
【符号の説明】
１  アンテナ（ＡＮＴ）
２  送信部（ＴＸ）
３  受信部（ＲＸ）
４  発振部（ＬＯ）
５  ベースバンド処理部（Ｂ／Ｂ）
６  音声符号化・復号化部（ＣＯＤＥＣ）
７  送話部（ＭＩＣ）
８  受話部（ＲＥＣ）
９  制御部（ＣＯＮＴ）
【図１】
0004486232.tif 000002
【図２】
0004486232.tif 000003
【図３】
0004486232.tif 000004
【図４】
0004486232.tif 000005
【図５】
0004486232.tif 000006
【図６】
0004486232.tif 000007
【図７】
0004486232.tif 000008
【図８】
0004486232.tif 000009
【図９】
0004486232.tif 000010
【図１０】
0004486232.tif 000011